(57)【要約】【課題】複数の部屋を調湿する調湿装置において、結露の防止を図る。【解決手段】各部屋に加湿空気を送る調湿部（30…）を設ける。絶対湿度に基づく調湿部の加湿量の制御を行う絶対湿度制御モードと、相対湿度に基づく調湿部の加湿量の制御を行う相対湿度制御モードとで調湿部を可能に構成されるとともに、各部屋から吸い込んだ空気の現在の温度における所定の基準相対湿度（Rb）に相当する絶対湿度閾値（Rs2）が、あらかじめ設定された絶対湿度設定値（Rs1）よりも小さい場合には、相対湿度制御モードを選択する制御部（100）を設ける。【選択図】図１８
2014196879.tif 000002
【特許請求の範囲】
【請求項１】
複数の部屋を調湿する調湿装置において、
各部屋の空気を吸い込むとともに、各部屋に加湿空気を送る調湿部（30…）と、
絶対湿度に基づく前記調湿部（30…）の加湿量の制御を行う絶対湿度制御モードと、相対湿度に基づく前記調湿部（30…）の加湿量の制御を行う相対湿度制御モードとで前記調湿部（30…）を制御可能に構成されるとともに、各部屋から吸い込んだ空気の現在の温度（Tr）における所定の基準相対湿度（Rb）に相当する絶対湿度閾値（Rs2）が、あらかじめ設定された絶対湿度設定値（Rs1）よりも小さい場合には、前記相対湿度制御モードを選択する制御部（100）と、
を備えたことを特徴とする調湿装置。
【請求項２】
請求項１の調湿装置において、
前記制御部（100）は、前記部屋から吸い込んだ空気の温度（Tr）が所定の閾値温度（Tt）を超えた場合には、前記絶対湿度制御モードを選択することを特徴とする調湿装置。
【請求項３】
請求項１又は請求項２の調湿装置において、
前記制御部（100）は、前記部屋から吸い込んだ空気の温度（Tr）に応じて、前記基準相対湿度（Rb）を変更することを特徴とする調湿装置。
【発明の詳細な説明】
【技術分野】
【０００１】
本発明は、空気を調湿する調湿装置に関するものである。
【背景技術】
【０００２】
従来、室内の調湿を行う装置が知られている（例えば特許文献１を参照）。特許文献１の例では、室内温度センサ、室内湿度センサが検出した被調和空間の温度及び相対湿度から当該被調和空間の絶対湿度を算出し、この絶対湿度を所定の基準値に維持するように除湿を行っている。
【先行技術文献】
【特許文献】
【０００３】
【特許文献１】特開２００７−２６３４２５号公報
【発明の概要】
【発明が解決しようとする課題】
【０００４】
ところで、一つの調湿ユニットで複数の部屋を調湿する調湿装置では、絶対湿度を目標値として湿度を制御すると、空気調和（ここでは室内空気の温度調整の意）が行われている部屋では適当な相対湿度であったとしても、空気調和が行われていない部屋では相対湿度が高くなり、外気温等の条件によっては窓に結露を生ずる可能性が高くなる。結露はカビの発生を助長する場合があり好ましくない。この問題は、住宅が高気密、高断熱化されほどより顕著になると考えられる。
【０００５】
これに対しては、相対湿度を目標値として湿度を制御すると結露防止は容易になるが、住宅の木材部分に対しては、空気中に一定の水分量が含まれている方が、割れなどに対して有利であるとする説もあり、暖房等の温度コントロールが行われている部屋では、相対湿度を目標とした制御では水分不足（過乾燥）になる可能性がある。
【０００６】
本発明は前記の問題に着目してなされたものであり、複数の部屋を調湿する調湿装置において、結露の防止を図ることを目的としている。
【課題を解決するための手段】
【０００７】
前記の課題を解決するため、第１の発明は、
複数の部屋を調湿する調湿装置において、
各部屋の空気を吸い込むとともに、各部屋に加湿空気を送る調湿部（30…）と、
絶対湿度に基づく前記調湿部（30…）の加湿量の制御を行う絶対湿度制御モードと、相対湿度に基づく前記調湿部（30…）の加湿量の制御を行う相対湿度制御モードとで前記調湿部（30…）を制御可能に構成されるとともに、各部屋から吸い込んだ空気の現在の温度（Tr）における所定の基準相対湿度（Rb）に相当する絶対湿度閾値（Rs2）が、あらかじめ設定された絶対湿度設定値（Rs1）よりも小さい場合には、前記相対湿度制御モードを選択する制御部（100）と、
を備えたことを特徴とする。
【０００８】
この構成では、相対湿度が比較的高い場合には、相対湿度制御モードが選択され、水分量が所定量以下に制限される。また、絶対湿度制御モードの選択も可能であり、その選択により所定の水分量を確保できる。
【０００９】
また、第２の発明は、
第１の発明の調湿装置において、
前記制御部（100）は、前記部屋から吸い込んだ空気の温度（Tr）が所定の閾値温度（Tt）を超えた場合には、前記絶対湿度制御モードを選択することを特徴とする。
【００１０】
この構成では、温度（Tr）に応じて、絶対湿度制御が行われる。そのため、例えば暖房が行われている部屋などでは、必要な水分量が確保される。
【００１１】
また、第３の発明は、
第１又は第２の発明の調湿装置において、
前記制御部（100）は、前記部屋から吸い込んだ空気の温度（Tr）に応じて、前記基準相対湿度（Rb）を変更することを特徴とする。
【００１２】
この構成では、温度（Tr）に応じて基準相対湿度（Rb）が変更されるので、相対湿度制御モードにおいて、結露に対するマージンが確保される。
【発明の効果】
【００１３】
第１の発明によれば、相対湿度が比較的高い場合には、相対湿度制御モードが選択され、水分量が所定量以下に制限されるので、複数の部屋を調湿する調湿装置において、過乾燥を防止しつつ、結露の防止を図ることが可能になる。
【００１４】
また、第２の発明によれば、必要な水分量が確保されるので、過乾燥が防止される。
【００１５】
また、第３の発明によれば、より確実に結露が防止される。
【図面の簡単な説明】
【００１６】
【図１】図１は、実施形態１の調湿装置の設置状態を模式的に示す。
【図２】図２は、実施形態１に係る調湿装置のケーシング構造を表した斜視図である。
【図３】図３は、実施形態１に係る調湿装置のフレーム構造を表した斜視図である。
【図４】図４は、実施形態１に係る調湿装置を模式的に表した構成図であり、図４(Ａ)は、調湿装置を上面から、図４(Ｂ)は、調湿装置の内部構造を前面から、図４(Ｃ)は、調湿装置の内部構造を左側面から、図４(Ｄ)は、調湿装置の内部構造を右側面から、それぞれ視たものである。
【図５】図５は、実施形態１に係る調湿装置の模式的に表した構成図であり、図５(Ａ)は、調湿装置の内部構造を図４(Ａ)のＹ−Ｙ断面から視たものであり、図５(Ｂ)は、調湿装置の内部構造を図５(Ａ)のＺ−Ｚ断面から視たものである。
【図６】図６は、実施形態１に係る調湿装置の内部構造を示した組立斜視図であり、特に、下部空間の内部構造を表したものである。
【図７】図７は、実施形態１に係る調湿装置の内部構造を示した組立斜視図であり、特に、レヒート熱交換器の周辺構造を表したものである。
【図８】図８は、実施形態１に係る調湿装置の内部構造を示した組立斜視図であり、特に、下側ダンパの周辺構造を表したものである。
【図９】図９は、実施形態１に係る調湿装置の内部構造を示した組立斜視図であり、特に、上側ダンパの周辺構造を表したものである。
【図１０】図１０は、実施形態１に係る吸着熱交換器の斜視図に、その周囲の調湿室を仮想線を用いて付加したものである。
【図１１】図１１は、実施形態１に係る調湿装置の内部構造を示した斜視図であり、特に上部空間の内部構造を表したものである。
【図１２】図１２は、実施形態１に係る調湿装置の冷媒回路の概略構成図である。
【図１３】図１３は、実施形態１に係る調湿装置の除湿運転時の第１動作、又は加湿運転時の第１動作の空気流れを示した、図４相当図である。
【図１４】図１４は、実施形態１に係る調湿装置の除湿運転時の第１動作、又は加湿運転時の第１動作の空気流れを示した、図５相当図である。
【図１５】図１５は、実施形態１に係る調湿装置の除湿運転時の第２動作、又は加湿運転時の第２動作の空気流れを示した、図４相当図である。
【図１６】図１６は、実施形態１に係る調湿装置の除湿運転時の第２動作、又は加湿運転時の第２動作の空気流れを示した、図５相当図である。
【図１７】図１７は、コントローラ及び各センサの概略構成図である。
【図１８】図１８は、加湿運転における制御モード選択の工程を示す。
【図１９】図１９は、実施形態１に係る湿度制御パターンを示す。
【図２０】図２０は、実施形態２に係る湿度制御パターンを示す。
【発明を実施するための形態】
【００１７】
以下、本発明の実施形態を図面に基づいて詳細に説明する。
【００１８】
《発明の実施形態１》
本発明の実施形態１について説明する。図１は、本発明の実施形態１の調湿装置（10）の設置状態を模式的に示す。この調湿装置（10）は、例えば、いわゆる戸建住宅に設置される。この調湿装置（10）は、室内の床面に設置されて室内の湿度調節を行う床置き型の調湿装置である。調湿装置（10）は、例えば衣服等が収納されるクローゼットの収納空間等に設置される。図１に示すように、調湿装置（10）は、調湿対象のそれぞれの部屋と、内気用ダクト（200）、及び給気用ダクト（201）によって結ばれている。すなわち、内気用ダクト（200）は、後述の内気接続口（18d）から各部屋に伸びている。また、給気用ダクト（201）は、後述の給気接続口（18a）から各部屋に伸びている。なお、図１中の矢印は、空気の流れを示す。
【００１９】
調湿装置（10）の構成について図面を参照しながら説明する。図２は、本実施形態に係る調湿装置のケーシング構造を表した斜視図である。また、図３は、本実施形態に係る調湿装置のフレーム構造を表した斜視図である。なお、以下の説明における「上」「下」「右」「左」「前」「後」の各方向を表す記載は、原則として、図２に示す調湿装置（10）を前面側から視た場合を基準とする。また、図４及び図５は、調湿装置（10）を模式的に表したものであり、図４（Ａ）は調湿装置（10）の上面を、図４（Ｂ）は調湿装置（10）の前側の内部構造を、図４（Ｃ）は調湿装置（10）の左側の内部構造を、図４（Ｄ）は調湿装置の右側の内部構造をそれぞれ表している。また、図５（Ａ）は、図４（Ａ）の調湿装置の内部構造をＹ−Ｙ断面から視たものであり、図５（Ｂ）は、図５（Ａ）の調湿装置の内部構造をＺ−Ｚ断面から視たものである。
【００２０】
〈ケーシング構造〉
図２に示すように、調湿装置（10）は、縦長の直方体形の箱形のケーシング（11）を備えている。ケーシング（11）は、矩形板状の底板（12）及び天板（13）と、底板（12）及び天板（13）のそれぞれの四辺に対応する４枚の矩形板状のパネル（14,15,16,17）とを備えている。これらのパネル（14,15,16,17）は、前面側の前面パネル（14）と、後面側の後面パネル（15）と、右側の右側面パネル（16）と、左側の左側面パネル（17）とで構成される。ケーシング（11）では、底板（12）、天板（13）、後面パネル（15）、右側面パネル（16）、及び左側面パネル（17）が、前側に開放面を形成したケーシング本体（11a）を構成する。前面パネル（14）は、ビス等の締結部材を介してケーシング本体（11a）に対して着脱自在に構成される。また、ケーシング（11）は、後面パネル（15）が室内の壁に接するように設置される。
【００２１】
前面パネル（14）は、ケーシング（11）の下部空間（S1）を覆う下部パネル（14a）と、ケーシング（11）の上部空間（S3）を覆う上部パネル（14b）と、ケーシング（11）の中間空間（S2）を覆う中間パネル（14c）とによって構成される。更に、下部パネル（14a）の左下側の隅部には、フィルタメンテナンスパネル（14d）が設けられる。前面パネル（14）では、これらのパネル（14a,14b,14c,14d）が、それぞれ個別に取り外し可能に構成される。
【００２２】
天板（13）には、４つのダクト接続口（18）が取り付けられている。具体的に、天板（13）では、前側右寄りに給気接続口（18a）が設けられ、後側右寄りに排気接続口（18b）が設けられ、後側左寄りに外気接続口（18c）が設けられ、前側左寄りに内気接続口（18d）が設けられる。給気接続口（18a）及び内気接続口（18d）は、それぞれ給気用ダクト（201）、内気用ダクト（200）を介して室内空間と連通し、排気接続口（18b）及び外気接続口（18c）は、それぞれダクト（202,203）を介して室外空間と連通する。つまり、調湿装置（10）では、室内空間と繋がる給気接続口（18a）及び内気接続口（18d）が、ケーシング（11）の前側に集約して配置され、室外空間と繋がる排気接続口（18b）及び外気接続口（18c）が、ケーシング（11）の後側に集約して配置される。外気接続口（18c）には室外空気（OA）が吸い込まれ、内気接続口（18d）には、室内空気（RA）が吸い込まれる。給気接続口（18a）からは、室内へ供給空気（SA）が吹き出され、排気接続口（18b）からは、室外へ排出空気（EA）が吹き出される。
【００２３】
〈フレーム構造〉
図３に示すように、ケーシング（11）の内部には、底板（12）の四隅に対応する４本の縦フレーム（支柱部材）（21）が設けられる。これらの縦フレーム（21）は、前側右寄りの第１縦フレーム（21a）と、後側右寄りの第２縦フレーム（21b）と、後側左寄りの第３縦フレーム（21c）と、前側左寄りの第４縦フレーム（21d）とで構成される。各縦フレーム（21）は、ケーシング（11）の高さ方向の中間部よりもやや上側寄りまで垂直に延びている。つまり、ケーシング（11）の内部では、天板（13）から各縦フレーム（21）の上端までの間に底板（12）と直に連結する縦フレームが設けられてない。
【００２４】
各縦フレーム（21）の上部には、水平方向に延びる４本の横フレーム（22）（梁部材）が架橋される。これらの横フレーム（22）は、第１縦フレーム（21a）と第２縦フレーム（21b）との間の第１横フレーム（22a）と、第２縦フレーム（21b）と第３縦フレーム（21c）との間の第２横フレーム（22b）と、第３縦フレーム（21c）と第４縦フレーム（21d）との間の第３横フレーム（22c）と、第４縦フレーム（21d）と第１縦フレーム（21a）との間の第４横フレーム（22d）とで構成される。第２、第３、第４横フレーム（22b,22c,22d）は、対応する各縦フレーム（21）の上端部に連結される。これに対し、第１横フレーム（22a）は、第１及び第２縦フレーム（21a,21b）の上端よりもやや低い部位に連結される。
【００２５】
横フレーム（22）の下側には、水平に延びる３本の中間フレーム（23）が設けられる。これらの中間フレーム（23）は、第１横フレーム（22a）の下側に形成される第１中間フレーム（23a）と、第２横フレーム（22b）の下側に形成される第２中間フレーム（23b）と、第３横フレーム（22c）の下側に形成される第３中間フレーム（23c）とで構成される。
【００２６】
縦フレーム（21）、横フレーム（22）、及び中間フレーム（23）は、調湿装置（10）の構成部品のうち比較的重量が大きな重量物（詳細は後述するダンパ仕切板（45,48）や吸着熱交換器（33））の荷重が作用して、これらを支持する支持部材を構成している。
【００２７】
〈ケーシングの内部空間〉
図３に示すように、ケーシング（11）の内部は、下部パネル（14a）の背面側に形成される下部空間（S1）と、中間パネル（14c）の背面側に形成される中間空間（S2）と、上部パネル（14b）の背面側に形成される上部空間（S3）とに大別できる。
【００２８】
〈下部空間の構成部品〉
図６及び図７に示すように、下部空間（S1）には、左側面パネル（17）に沿うように下部区画部材（41）が設置される。下部区画部材（41）は、ポリスチレン等の樹脂材料で構成され、上側及び下側が開放された枠状に形成される。下部区画部材（41）は、下部空間（S1）を左右に仕切る下部仕切部（41a）と、第３縦フレーム（21c）に近接して配置される横断面が略矩形状の小径筒部（41b）と、第４縦フレーム（21d）に近接して配置される横断面が略矩形状の大径筒部（41c）とを有している。小径筒部（41b）の内部には、外気流入路（61）が区画される。大径筒部（41c）の内部には、レヒート室（63）が区画される。外気流入路（61）とレヒート室（63）とは、連通口（62）を介して互いに連通する（図７を参照）。
【００２９】
レヒート室（63）には、下部区画部材（41）と一体に形成された上側支持板（41d）が設けられる。上側支持板（41d）は、大径筒部（41c）の左側の内壁に連続し、底板（12）と平行となるように水平な状態で支持される。レヒート室（63）では、上側支持板（41d）の下側に連通口（62）に連続する下部外気流路（63a）が形成され、上側支持板（41d）の上側に下部外気流路（63a）に連続する上部外気流路（63b）が形成される（図４（Ｂ）及び図７を参照）。つまり、レヒート室（63）では、下部外気流路（63a）の流入側から上部外気流路（63b）の流出側に亘って、縦断面が略コの字状（Ｕの字状）の空気流路が形成される。
【００３０】
図７等に示すように、下部外気流路（63a）には、上流側から下流側に向かって順に、虫取りフィルタ（26）、プリーツフィルタ（27）、及びレヒートユニット（28）が設けられる。
【００３１】
虫取りフィルタ（26）は、室外空気中の虫や比較的大きな埃等を捕捉する網状の部材である。プリーツフィルタ（27）は、虫取りフィルタ（26）よりも細かい目を有する空気清浄用のフィルタであり、室外空気中の比較的小さな塵埃を捕捉する。下部区画部材（41）には、上述したフィルタメンテナンスパネル（14d）の背面側にメンテナンス蓋（41e）が設けられる（図６を参照）。メンテナンス蓋（41e）は、虫取りフィルタ（26）及びプリーツフィルタ（27）のメンテナンス口を開閉自在に構成される。即ち、フィルタメンテナンスパネル（14d）を取り外し、次いでメンテナンス蓋（41e）を開放すると、虫取りフィルタ（26）やプリーツフィルタ（27）の前端部がケーシング本体（11a）の外部へ露出される。
【００３２】
レヒートユニット（28）は、枠体（29）と、該枠体（29）の内部に固定されるレヒート熱交換器（35）とを有している。枠体（29）は、一対のサイドステー（29a）と、内壁が斜め下方を向くように一対のサイドステー（29a）に狭持される枠体本体（29b）とを有している。枠体本体（29b）には、斜めに傾斜した開口面（29c）が形成され、この開口面（29c）に沿ってレヒート熱交換器（35）が保持される。レヒート熱交換器（35）は、冷媒によって室外空気を加熱する加熱熱交換器を構成する。
【００３３】
図６に示すように、下部空間（S1）では、その右側の略半分（下部区画部材（41）の外側）に機械室（60）が区画される。機械室（60）では、前面パネル（14）の背面側に電装品箱（90）が設置される。電装品箱（90）には、圧縮機（31）のモータの電源供給回路のプリント基板や、このプリント基板上の回路に電気的に接続するリアクトル等の電装品が収容される。また、機械室（60）には、電装品箱（90）の背面側に圧縮機（31）や四方切換弁（32）が設置される。つまり、前面パネル（14）の下部パネル（14a）を取り外すと、電装品箱（90）がケーシング本体（11a）の外部に露出される。更に電装品箱（90）を外部へ取り出すと、圧縮機（31）や四方切換弁（32）がケーシング本体（11a）の外部へ露出される。
【００３４】
〈中間空間〉
中間空間（S2）には、下側から上側に向かって順に、第１中間区画部材（43）、第２中間区画部材（44）、第３中間区画部材（47）が設けられる。これらの中間区画部材（43,44,47）は、いずれも一体に成型されたポリスチレン等の樹脂部材である。
【００３５】
図８に示すように、第１中間区画部材（43）は、機械室（60）の上側開放部を閉塞している。第１中間区画部材（43）の上面には、矩形状に突設された枠部（43a）と、該枠部（43a）の左右外方に形成される一対の凹溝（43c,43c）とが形成される。枠部（43a）は、第１中間区画部材（43）の前後に亘って形成される。枠部（43a）の内側には、調湿室（66a,66b）で発生した凝縮水を受けるための受水部（43b）が形成される。受水部（43b）は、第１中間区画部材（43）の前後に亘って形成される。受水部（43b）の底面は、水平面よりもやや斜め上方を向くように傾斜している。つまり、受水部（43b）に溜まった水は、傾斜した底面に沿って前方へと導かれる。凹溝（43c,43c）は、枠部（43a）の左右の側壁に沿って前後方向に延びている。
【００３６】
図９に示すように、第２中間区画部材（44）は、第１中間フレーム（23a）と第２中間フレーム（23b）とに支持されながら、第１中間区画部材（43）の上側に所定の間隔を置いて配置される。第２中間区画部材（44）には、第１中間区画部材（43）の各凹溝（43c,43c）に対応する位置に、前後方向に延びる凹溝（44a,44a）が形成される。
【００３７】
一方、図８に示すように、第１中間区画部材（43）と第２中間区画部材（44）との間には、２枚の下側ダンパ仕切板（45）と、１枚の横仕切板（46）とが形成される。２枚の下側ダンパ仕切板（45）及び１枚の横仕切板（46）は、各々の板厚方向が水平となるような、縦置きの配置となっている。２枚の下側ダンパ仕切板（45）は、外気ダンパ仕切板（45a）と排気ダンパ仕切板（45b）とで構成される。
【００３８】
外気ダンパ仕切板（45a）は、その下端部が第１中間区画部材（43）の左側の凹溝（43c）に嵌り込み、その上端部が第２中間区画部材（44）の左側の凹溝（44a）に嵌り込んでいる。排気ダンパ仕切板（45b）は、その下端部が第１中間区画部材（43）の右側の凹溝（43c）に嵌り込み、その上端部が第２中間区画部材（44）の左側の凹溝（44a）に嵌り込んでいる。下側ダンパ仕切板（45）の前端部は、前面パネル（14）の背面側に位置している。つまり、前面パネル（14）を取り外すと、下側ダンパ仕切板（45）の前端部がケーシング本体（11a）の外部へ露出される。前面パネル（14）を取り外した状態では、下側ダンパ仕切板（45）が、各凹溝（43c,44a）に沿って前後に引き出し可能となる。
【００３９】
図４、図８、図９に示すように、外気ダンパ仕切板（45a）の左側には、レヒート室（63）と連通する中間外気流路（64）が前後に延びて形成される。外気ダンパ仕切板（45a）には、前寄りに第１ダンパ（D1）が、後寄りに第２ダンパ（D2）が設けられる。排気ダンパ仕切板（45b）の右側には、中間排気流路（65）が前後に延びて形成される。排気ダンパ仕切板（45b）には、前寄りに第３ダンパ（D3）が、後寄りに第４ダンパ（D4）が設けられる。
【００４０】
図８や図１０に示すように、外気ダンパ仕切板（45a）と排気ダンパ仕切板（45b）の間の空間は、横仕切板（46）によって前後に２つの調湿室（66）に仕切られている。これらの調湿室（66）は、前寄りの空間が第１調湿室（66a）を、後寄りの空間が第２調湿室（66b）を構成する。第１調湿室（66a）は、第１ダンパ（D1）及び第３ダンパ（D3）に対応する位置に形成され、第２調湿室（66b）は、第２ダンパ（D2）及び第４ダンパ（D4）に対応する位置に形成される。第１調湿室（66a）及び第２調湿室（66b）は、第２中間区画部材（44）の内部に亘って形成される。
【００４１】
同図に示すように、２つの吸着熱交換器（33）は、第１調湿室（66a）に収容される第１吸着熱交換器（33a）と、第２調湿室（66b）に収容される第２吸着熱交換器（33b）とで構成される。吸着熱交換器（33）は、クロスフィン型のフィンアンドチューブ式の熱交換器本体（34）の表面に吸着剤が担持されて構成される。
【００４２】
吸着熱交換器（33）の熱交換器本体（34）は、銅製の伝熱管（34a）と、アルミニウム製の多数のフィン（34b）とを有している。伝熱管（34a）は、直管部とＵ字部とが交互に連続して蛇行状に形成される。フィン（34b）は、縦長の板状に形成され、その厚さ方向に伝熱管（34a）の直管部が貫通している。つまり、多数のフィン（34b）は、伝熱管（34a）の直管部の軸方向に沿って平行に配列される。
【００４３】
吸着剤は、多数のフィン（34b）及び伝熱管（34a）の表面に担持されている。吸着剤と空気との界面では、空気中の水分が吸着剤へ吸着されるか、又は吸着された水分が空気中へ脱離する（吸着剤が再生される）。吸着剤としては、ゼオライト、シリカゲル、活性炭、親水性の官能基を有する有機高分子材料等が用いられる。また、吸着剤としては、水分を吸着するだけで機能だけなく、水分を吸収する機能を有する材料（いわゆる収着剤）を用いてもよい。
【００４４】
吸着熱交換器（33）は、フィン（34b）の短辺側が垂直となり、且つ伝熱管（34a）のＵ字部が左右両側に位置するように、収容室（67）に保持される。
【００４５】
図９に示すように、第３中間区画部材（47）は、第２中間区画部材（44）の上側に積層されている。第３中間区画部材（47）の上面には、左右に幅広の一対の幅広溝（47a,47a）が形成される。これらの幅広溝（47a）には、一対の上側ダンパ仕切板（48）が厚さ方向に嵌合している。これらの上側ダンパ仕切板（48）は、各々の板厚方向が垂直となるような、横置きの配置となっている。上側ダンパ仕切板（48）の前端部は、前面パネル（14）の背面側に位置している。つまり、前面パネル（14）を取り外すと、上側ダンパ仕切板（48）の前端部がケーシング本体（11a）の外部へ露出される。前面パネル（14）を取り外した状態では、上側ダンパ仕切板（48）が、各幅広溝（47a）に沿って前後に引き出し可能となる。
【００４６】
一対の上側ダンパ仕切板（48）は、左寄りの内気ダンパ仕切板（48a）と、右寄りの給気ダンパ仕切板（48b）とで構成される。内気ダンパ仕切板（48a）には、前寄りに第５ダンパ（D5）が、後方寄りに第６ダンパ（D6）が設けられる。給気ダンパ仕切板（48b）には、前寄りに第７ダンパ（D7）が設けられ、後寄りに第８ダンパ（D8）が設けられる。第５ダンパ（D5）及び第７ダンパ（D7）は、第１調湿室（66a）に対応する位置に形成され、第６ダンパ（D6）及び第８ダンパ（D8）は、第２調湿室（66b）に対応する位置に形成される。
【００４７】
第２中間区画部材（44）及び第３中間区画部材（47）の右後側の隅部には、前後に延びる横長の貫通穴がそれぞれ形成され、これらの貫通穴が連続して排気連絡流路（68）を構成する。
【００４８】
中間空間（S2）の左後側の隅部には、第１上部区画部材（51）の外気ダクト部（53）が上下に延びている（図９及び図１１を参照）。外気ダクト部（53）の下端は、下部区画部材（41）の大径筒部（41c）に連続する。また、中間空間（S2）には、第１調湿室（66a）の前側にスペーサ部材（24）が設けられる。スペーサ部材（24）は、第１中間区画部材（43）と第１中間フレーム（23a）との間に所定の間隔を確保するように、両者の間に介設される。
【００４９】
〈上部空間〉
図１１に示すように、上部空間（S3）には、第１上部区画部材（51）、第２上部区画部材（54）、及び第３上部区画部材（80）が設けられる。これらの区画部材（51,54,80）は、いずれも一体に成型されたポリスチレン製の樹脂材料である。上部空間（S3）では、これらの区画部材（51,54,80）によって、４つの上部室（19）が区画される。これらの上部室（19）は、前側右寄りの室内給気室（19a）と、後側右寄りの室外排気室（19b）と、後側左寄りの外気吸込室（19c）と、前側左寄りの内気吸込室（19d）とで構成される。室内給気室（19a）は給気接続口（18a）と連通し、室外排気室（19b）は排気接続口（18b）と連通し、外気吸込室（19c）は外気接続口（18c）と連通し、内気吸込室（19d）は内気接続口（18d）と連通する。室内給気室（19a）には、給気ファンユニット（84）が設けられ、室外排気室（19b）には、排気ファンユニット（87）が設けられる。
【００５０】
第１上部区画部材（51）は、上部空間（S3）の左寄りに設けられる。第１上部区画部材（51）は、左側面パネル（17）に沿ってケーシング（11）の前後両端に亘って形成される左側壁部（52）と、第３縦フレーム（21c）に沿って上下に延びる筒状の外気ダクト部（53）とを有している。外気ダクト部（53）は、上部空間（S3）に配置されて内部に外気吸込室（19c）を区画する大径ダクト部（53a）と、大径ダクト部（53a）の下端から連続するように中間空間（S2）に配置され、大径ダクト部（53a）よりも小径に形成される小径ダクト部（53b）とを有している。
【００５１】
上部空間（S3）では、大径ダクト部（53a）の内部に外気吸込室（19c）が形成され、大径ダクト部（53a）の外方前側に内気吸込室（19d）が形成される。また、上部空間（S3）では、大径ダクト部（53a）の外方下側から前面パネル（14）に亘って上部内気流路（69）が区画される。上部内気流路（69）の上端は、内気吸込室（19d）と連通している。また、上部内気流路（69）には、内気ダンパ仕切板（48a）の第５ダンパ（D5）及び第７ダンパ（D7）が臨んでいる。小径ダクト部（53b）の内部には、外気流入路（61）に繋がるダクト内流路（71）が形成される（図４（Ｂ）を参照）。
【００５２】
第２上部区画部材（54）は、ケーシング（11）の右側面パネル（16）に沿ってケーシング（11）の前後両端に亘って形成される右側壁部（55）と、上部空間（S3）を左右に仕切る中央仕切部（56）と、右側壁部（55）及び中央仕切部（56）の各後端部に連続する後側壁部（57）とを有している。
【００５３】
右側壁部（55）の内側には、台座部（55a）形成されている。台座部（55a）は、縦断面がＬの字状に形成され、後側壁部（57）から前面パネル（14）側に亘って前後に延びている。台座部（55a）の上端面には、各ファンユニット（84,87）及び第３上部区画部材（80）が前後に案内自在に設置される、第１設置面（55c）が形成される。
【００５４】
右側壁部（55）の前後方向の中間部には、上下に延びる柱状の第１当接部（55b）が形成される。第１当接部（55b）には、その前端に第３上部区画部材（80）の後端部が当接する。また、第１当接部（55b）には、第３上部区画部材（80）に対する当接面にシール材（図示省略）が形成される。
【００５５】
中央仕切部（56）は、垂直な第１縦壁（56a）と、該第１縦壁（56a）の下端から水平に屈曲した横壁（56b）と、該横壁（56b）の右端から垂直に屈曲した第２縦壁（56c）とを有する。中央仕切部（56）の上端面には、各ファンユニット（84,87）及び第３上部区画部材（80）が前後に案内自在に設置される、第２設置面（56d）が形成される。
【００５６】
中央仕切部（56）は、前後に並ぶ外気吸込室（19c）及び内気吸込室（19d）と、前後に並ぶ室外排気室（19b）及び室内給気室（19a）とを、左右に仕切るように、ケーシング（11）の前後に延びる主仕切部を構成している。中央仕切部（56）は、ケーシング（11）に沿った右側壁部（55）及び後側壁部（57）と一体に成型されているため、他の部材と独立して中央仕切部（56）だけを取り外すことはできない。
【００５７】
中央仕切部（56）の前後方向の中間部には、上下に延びる柱状の第２当接部（56e）が形成される。第２当接部（56e）には、その前端に第３上部区画部材（80）の後端部が当接する。また、第２当接部（56e）には、第３上部区画部材（80）に対する当接面にシール材（図示省略）が形成される。
【００５８】
第２上部区画部材（54）では、右側壁部（55）と後側壁部（57）との間の隅部と、中央仕切部（56）と後側壁部（57）との間の隅部に、それぞれ挿通部（58）が形成される。各挿通部（58）には、それぞれ補強リブ（75）が挿通される。各補強リブ（75）の上端は、ケーシング（11）の天板（13）に固定される。これらの補強リブ（75）は、排気ファンユニット（87）が固定されて支持される取付部材を構成している。
【００５９】
第２上部区画部材（54）には、排気ファンユニット（87）の下側に横仕切部（59）が一体に形成される（図５（Ａ））。上部空間（S3）では、この横仕切部（59）の上側に室外排気室（19b）が区画され、横仕切部（59）の下側から前面パネル（14）に亘って上部給気流路（70）が区画される。室外排気室（19b）は、図９に示す排気連絡流路（68）と連通している。上部給気流路（70）の上端は、室内給気室（19a）と連通している。また、上部給気流路（70）には、給気ダンパ仕切板（48b）の第６ダンパ（D6）及び第８ダンパ（D8）が臨んでいる。
【００６０】
図１１に示すように、第３上部区画部材（80）は、第２上部区画部材（54）の右側壁部（55）に沿って形成される第１側板部（81）と、第２上部区画部材（54）の中央仕切部（56）に沿って形成される第２側板部（82）と、第１側板部（81）の後端部と第２側板部（82）の後端部に亘って形成される中間側板部（83）とを有している。つまり、第３上部区画部材（80）は、その横断面形状が、前側に開放部を有する略コの字状（Ｕの字状）に形成される。
【００６１】
第３上部区画部材（80）は、各側板部（81,82）の下端が第２上部区画部材（54）の各設置面（55c,56d）にそれぞれ設置され、且つ中間側板部（83）の左右両端部が第２上部区画部材（54）の各当接部（55b,56e）に当接するように配置される。このように第３上部区画部材（80）を配置すると、右側壁部（55）と中央仕切部（56）との間の空間が、前後に２つの空間（即ち、室内給気室（19a）及び室外排気室（19b））に仕切られる。第３上部区画部材（80）は、室内給気室（19a）及び室外排気室（19b）を前後に仕切るようにケーシング（11）に着脱自在に取り付けられる給排気仕切部を構成している。
【００６２】
給気ファンユニット（84）は、給気ファン（85）と、この給気ファン（85）を支持するための給気側取付板（86）とによって構成される。給気ファン（85）は、遠心側の多翼ファン（いわゆるシロッコファン）である。給気側取付板（86）は、給気ファン（85）のモータが取り付けられる本体部（86a）と、本体部（86a）の左右側方に形成される側板部（86b）と、本体部（86a）の上側に形成される上板部（86c）とで構成される。給気側取付板（86）の各側板部（86b）は、第２上部区画部材（54）の各設置面（55c,56d）に設置される。また、給気側取付板（86）のうち右側の側板部（86b）と上板部（86c）とは、上述した前面パネル（14）（図２を参照）にビス等の締結部材を介して固定される。
【００６３】
排気ファンユニット（87）は、排気ファン（88）と、この排気ファン（88）を支持するための排気側取付板（89）とによって構成される。排気ファン（88）は、遠心側の多翼ファン（いわゆるシロッコファン）である。排気側取付板（89）は、排気ファン（88）のモータが取り付けられる本体部（89a）と、該本体部（89a）の左右側方に形成される側板部（89b）とで構成される。排気側取付板（89）の各側板部（89b）は、第２上部区画部材（54）の各設置面（55c,56d）に設置される。また、これらの側板部（89b）は、上述した補強リブ（75）を介して天板（13）に固定される。
【００６４】
〈冷媒回路の構成〉
調湿装置（10）は、上述した圧縮機（31）や吸着熱交換器（33）が接続される冷媒回路（30）を備えている。この冷媒回路（30）の構成について、図１２を参照しながら説明する。
【００６５】
冷媒回路（30）は、冷媒配管が接続された閉回路であり、内部に冷媒が充填される。冷媒回路（30）では、冷媒が循環して蒸気圧縮式の冷凍サイクルが行われる。冷媒回路（30）には、圧縮機（31）と、四方切換弁（32）と、第１吸着熱交換器（33a）と、第２吸着熱交換器（33b）とが接続されている。
【００６６】
圧縮機（31）は、いわゆるインバータ制御によって容量（運転周波数）が可変に構成されている。つまり、圧縮機（31）のモータは、供給される交流電力の出力周波数（運転周波数）に応じて回転数が調節可能に構成される。
【００６７】
四方切換弁（32）は、第１から第４までのポートを有し、これらのポートの連通状態を切換可能に構成される。四方切換弁（32）の第１ポートは、圧縮機（31）の吐出管（31a）に接続し、四方切換弁（32）の第３ポートは、圧縮機（31）の吸入管（31b）に接続している。四方切換弁（32）の第２ポートは、第１吸着熱交換器（33a）のガス側端部に接続し、四方切換弁（32）の第４ポートは、第２吸着熱交換器（33b）のガス側端部に接続している。四方切換弁（32）は、第１ポートと第４ポートとを連通させて第２ポートと第３ポートとを連通させる状態（図１２の実線で示す第１状態）と、第１ポートと第２ポートとを連通させて第３ポートと第４ポートとを連通させる状態（図１２の破線で示す第２状態）とに切換可能に構成される。即ち、四方切換弁（32）は、第２吸着熱交換器（33b）で冷媒が放熱して第１吸着熱交換器（33a）で冷媒が蒸発する流路と、第１吸着熱交換器（33a）で冷媒が放熱して第２吸着熱交換器（33b）で冷媒が蒸発する流路とに、冷媒回路（30）の流路を切り換える冷媒流路切換機構を構成する。
【００６８】
冷媒回路（30）には、四方切換弁（32）の状態が切り換わっても、冷媒の流れを一方向のままとする一方向回路（36）が設けられる。この一方向回路（36）には、４つの逆止弁（CV-1,CV-2,CV-3,CV-4）がブリッジ状に接続されたブリッジ回路（36a）と、ブリッジ回路（36a）の流入端と流出端との間に並列に接続された、主回路（36b）及びレヒート回路（36c）が設けられる。
【００６９】
ブリッジ回路（36a）の各逆止弁（CV-1,CV-2,CV-3,CV-4）は、図１２の矢印の方向の冷媒の流れを許容し、これとは逆方向の冷媒の流れを禁止する。ブリッジ回路（36a）では、第１逆止弁（C1-1）と第２逆止弁（CV-2）との間に第１吸着熱交換器（33a）の液側端部が接続し、第３逆止弁（CV-3）と第４逆止弁（CV-4）との間に第２吸着熱交換器（33b）の液側端部が接続している。第１逆止弁（ＣＶ−１）及び第３逆止弁（CV-3）の合流部と、第２逆止弁（CV-2）及び第４逆止弁（CV-4）の分流部との間には、主回路（36b）とレヒート回路（36c）とが並列に接続されている。主回路（36b）には、主膨張弁（37）が接続されている。レヒート回路（36c）には、上流側にレヒート熱交換器（35）が、下流側にレヒート側膨張弁（38）が接続される。主膨張弁（37）及びレヒート側膨張弁（38）は、開度が可変な電動式の流量調節弁であり、例えば電子膨張弁で構成される。
【００７０】
〈コントローラ及びセンサ〉
図１２に示すように、調湿装置（10）は、制御部としてのコントローラ（100）と、各種のセンサを備えている。なお、調湿装置（10）においてコントローラ（100）以外の部分が、本発明の調湿部（30…）に相当する。
【００７１】
コントローラ（100）は、運転条件や各センサの検出値に応じて、圧縮機（31）の運転容量や各膨張弁（37,38）の開度を調節する。また、コントローラ（100）は、運転条件に応じて、各ダンパ（D1〜D8）の開閉状態や、各ファン（85,88）の運転風量を調節する。
【００７２】
図１３に模式的に示すように、本実施形態の調湿装置（10）は、内気湿度センサ（111）と、内気温度センサ（116）とを備えている。内気湿度センサ（111）は、上部内気流路（69）に配置されている。内気湿度センサ（111）は、内気吸込室（19d）に取り込まれた室内空気（RA）の湿度（Rh-r）（相対湿度）を検出する。
【００７３】
また、内気温度センサ（116）は、上部内気流路（69）内に設けられ、室内空気（RA）の温度（Tr）を検出する。内気用ダクト（200）は、各部屋につながっているので、内気湿度センサ（111）が検出する相対湿度（Rh-r）は、各部屋の平均の相対湿度であり、内気温度センサ（116）が検出する温度（Tr）は、各部屋の平均の温度である。
【００７４】
本実施形態のコントローラ（100）は、演算部（101）と、圧縮機制御部（102）とを有している（図１７参照）。コントローラ（100）は、例えばマイクロコンピュータとそれを動作させるプログラムで構成する。演算部（101）及び圧縮機制御部（102）は、各センサ（111,116）の検出値に基づいて吸着熱交換器（33）の能力（除湿能力や加湿能力）を調節する能力制御部を構成している。
【００７５】
演算部（101）は、加湿運転の際に、絶対湿度に基づく前記調湿部の加湿量の制御を行う絶対湿度制御モードと、相対湿度に基づく前記調湿部の加湿量の制御を行う相対湿度制御モードとを適宜選択して前記調湿部（30…）を可能に構成されている。
【００７６】
絶対湿度制御モードでは、各部屋の平均の絶対湿度が、ユーザーが定めた設定値となるように、演算部（101）は、圧縮機制御部（102）を介して吸着熱交換器（33）の能力を制御する。より具体的には演算部（101）は、圧縮機（31）の能力を可変させるなどして吸着熱交換器（33）の能力を制御する。現在の絶対湿度は、内気湿度センサ（111）で検出した相対湿度（Rh-r）と、内気温度センサ（116）で検出した温度（Tr）とを用いて算出している。
【００７７】
なお、絶対湿度の設定値は、例えばユーザーがリモートコントローラ（図示は省略）などを介してコントローラ（100）に設定する。本実施形態では、ユーザーは、「強」、「標準」、および「弱」の３段階から選択可能に構成されている（「強」が最も湿度が高くなる）。ここで、ユーザーの設定（「強」、「標準」、および「弱」）に対応する絶対湿度を絶対湿度設定値（Rs1）とする。
【００７８】
一方、相対湿度制御モードは、各部屋の平均の相対湿度が目標の値となるように吸着熱交換器（33）の能力を制御するモードである。目標とする相対湿度は、後述する基準相対湿度（Rb）であり、窓際などで結露を生じないように所定の値が演算部（101）に設定（例えば前記プログラム内の定数として設定）されている。
【００７９】
そして、本実施形態では、絶対湿度制御モードと、相対湿度制御モードとの選択に特徴がある。本実施形態では、コントローラ（100）は、内気温度センサ（116）が検出した温度（Tr）（すなわち、各部屋から吸い込んだ空気の現在の平均温度）における所定の相対湿度（基準相対湿度（Rb）とする）に相当する絶対湿度を算出してそれを閾値（絶対湿度閾値（Rs2）と呼ぶ）とする。そして、コントローラ（100）は、絶対湿度閾値（Rs2）が、前記絶対湿度設定値（Rs1）よりも小さい場合には、相対湿度制御モードを選択する。この例では、基準相対湿度（Rb）を相対湿度７０％としている。
【００８０】
ここで、絶対湿度設定値（Rs1）は、既述の通り、ユーザーが設定した「強」、「標準」、および「弱」に応じて定められた絶対湿度である。また、基準相対湿度（Rb）は、本実施形態では、相対湿度７０％である。つまり、現在の温度（Tr）における相対湿度７０％に相当する絶対湿度を絶対湿度閾値（Rs2）として算出し、絶対湿度閾値（Rs2）が、ユーザが設定した絶対湿度設定値（Rs1）よりも小さい場合には、前記相対湿度制御モードを選択し、相対湿度を基準相対湿度（Rb）（相対湿度７０％）に制御するのである。
【００８１】
また、本実施形態のコントローラ（100）は、絶対湿度制御モードと、相対湿度制御モードとの選択の際に、温度（Tr）も考慮する。具体的には、コントローラ（100）は、内気温度センサ（116）が検出した温度（Tr）が所定の閾値温度（Tt）を超えた場合には、前記絶対湿度制御モードを選択するようになっている。本実施形態では閾値温度（Tt）は、１５℃であるものとする。
【００８２】
−運転動作−
次いで、調湿装置（10）の運転動作について図面を参照しながら順に説明する。この調湿装置（10）は、室内を除湿する除湿運転と、室内を加湿する加湿運転とが切り換えて実行される。本実施形態では加湿運転に特徴があるが、参考のため除湿運転についても説明する。
【００８３】
〈除湿運転〉
除湿運転は、夏季等において室外の温度と湿度とが比較的高い条件下で実行される。この除湿運転では、室外空気（OA）が除湿され、除湿された空気が室内へ供給空気（SA）として供給される。同時に、除湿運転では、室内空気（RA）が排出空気（EA）として室外へ排出される。この除湿運転では、第１動作と第２動作とが所定の間隔置きに交互に実行され、室内が連続的に除湿される。
【００８４】
除湿運転の第１動作において、図１２に示す冷媒回路（30）では、四方切換弁（32）が第１状態に設定され、レヒート側膨張弁（38）がほぼ全閉に近い状態に、主膨張弁（37）が所定の開度で開放される。圧縮機（31）が運転されると、圧縮機（31）で圧縮された冷媒が第２吸着熱交換器（33b）で放熱し、ブリッジ回路（36a）を通過して、主回路（36b）を流れる。主回路（36b）では、冷媒が主膨張弁（37）によって減圧される。主膨張弁（37）で減圧された冷媒は、ブリッジ回路（36a）を通過し、第１吸着熱交換器（33a）で蒸発し、圧縮機（31）に吸入される。
【００８５】
除湿運転の第２動作において、図１２に示す冷媒回路（30）では、四方切換弁（32）が第２状態に設定され、レヒート側膨張弁（38）がほぼ全閉に近い状態となり、主膨張弁（37）が所定の開度で開放される。圧縮機（31）が運転されると、圧縮機（31）で圧縮された冷媒が第１吸着熱交換器（33a）で放熱し、ブリッジ回路（36a）を通過して、主回路（36b）を流れる。主回路（36b）では、冷媒が主膨張弁（37）によって減圧される。主膨張弁（37）で減圧された冷媒は、ブリッジ回路（36a）を通過し、第２吸着熱交換器（33b）で蒸発し、圧縮機（31）に吸入される。
【００８６】
以上のように、調湿装置（10）の除湿運転では、原則として、レヒート回路（36c）に冷媒が供給されない。つまり、除湿運転では、レヒート熱交換器（35）が停止状態となる。
【００８７】
除湿運転の第１動作では、図１３、及び図１４に示すように、第１ダンパ（D1）、第４ダンパ（D4）、第６ダンパ（D6）、及び第７ダンパ（D7）が開放状態となり、第２ダンパ（D2）、第３ダンパ（D3）、第５ダンパ（D5）、及び第８ダンパ（D8）が閉鎖状態となり、給気ファン（85）及び排気ファン（88）が運転される。なお、図１３〜１６においては、ハッチングを付したダンパが閉状態を、白抜きのダンパが開状態を表している。また、図１３〜図１６において、白抜きの矢印は、室外から室内へ供給される空気（室外空気（OA）ないし供給空気（SA）を表し、黒抜きの矢印は、室内から室外へ排出される空気（室内空気（RA）ないし排出空気（EA））を表している。
【００８８】
除湿運転の第１動作において、ダクトを経由して外気吸込室（19c）に取り込まれた室外空気（OA）は、ダクト内流路（71）、外気流入路（61）を順に流れて、下部外気流路（63a）へ流入する。この空気は、虫取りフィルタ（26）及びプリーツフィルタ（27）を順に流れて清浄化された後、レヒート熱交換器（35）を通過する。除湿運転では、上述のようにレヒート熱交換器（35）が停止状態である。このため、レヒート熱交換器（35）では、空気が加熱されることがない。
【００８９】
レヒート熱交換器（35）を通過した空気は、上部外気流路（63b）、中間外気流路（64）、第１ダンパ（D1）を順に流れ、第１吸着熱交換器（33a）を通過する。蒸発器の状態の第１吸着熱交換器（33a）では、空気中の水蒸気が吸着剤に吸着される。この際に生じた吸着熱は、冷媒の蒸発熱に利用される。第１吸着熱交換器（33a）で吸着されて除湿された空気は、第７ダンパ（D7）、上部給気流路（70）、室内給気室（19a）を順に流れ、ダクトを経由して室内空間へ供給空気（SA）として供給される。
【００９０】
除湿運転の第１動作において、室内側のダクトを経由して内気吸込室（19d）に取り込まれた室内空気（RA）は、上部内気流路（69）、第６ダンパ（D6）を順に流れ、第２吸着熱交換器（33b）を通過する。放熱器の状態の第２吸着熱交換器（33b）では、吸着剤から空気中へ水蒸気が脱離し、吸着剤が再生される。第２吸着熱交換器（33b）の吸着剤の再生に利用された空気は、第４ダンパ（D4）、中間排気流路（65）、排気連絡流路（68）、室外排気室（19b）を順に流れ、ダクトを経由して室外空間へ排出空気（EA）として排出される。
【００９１】
除湿運転の第２動作では、図１５、及び図１６に示すように、第２ダンパ（D2）、第３ダンパ（D3）、第５ダンパ（D5）、及び第８ダンパ（D8）が開放状態となり、第１ダンパ（D1）、第４ダンパ（D4）、第６ダンパ（D6）、及び第７ダンパ（D7）が閉鎖状態となり、給気ファン（85）及び排気ファン（88）が運転される。
【００９２】
除湿運転の第２動作において、ダクトを経由して外気吸込室（19c）に取り込まれた室外空気（OA）は、ダクト内流路（71）、外気流入路（61）を順に流れて、下部外気流路（63a）へ流入する。この空気は、虫取りフィルタ（26）及びプリーツフィルタ（27）を順に流れて清浄化された後、レヒート熱交換器（35）を通過する。除湿運転では、上述のようにレヒート熱交換器（35）が停止状態である。このため、レヒート熱交換器（35）では、空気が加熱されることがない。
【００９３】
レヒート熱交換器（35）を通過した空気は、上部外気流路（63b）、中間外気流路（64）、第２ダンパ（D2）を順に流れ、第２吸着熱交換器（33b）を通過する。蒸発器の状態の第２吸着熱交換器（33b）では、空気中の水蒸気が吸着剤に吸着される。この際に生じた吸着熱は、冷媒の蒸発熱に利用される。第２吸着熱交換器（33b）で吸着されて除湿された空気は、第８ダンパ（D8）、上部給気流路（70）、室内給気室（19a）を順に流れ、ダクトを経由して室内空間へ供給空気（SA）として供給される。
【００９４】
除湿運転の第２動作において、室内側のダクトを経由して内気吸込室（19d）に取り込まれた室内空気（RA）は、上部内気流路（69）、第５ダンパ（D5）を順に流れ、第１吸着熱交換器（33a）を通過する。放熱器の状態の第１吸着熱交換器（33a）では、吸着剤から空気中へ水蒸気が脱離し、吸着剤が再生される。第１吸着熱交換器（33a）の吸着剤の再生に利用された空気は、第３ダンパ（D3）を通過し、中間排気流路（65）、排気連絡流路（68）、室外排気室（19b）を順に流れ、ダクトを経由して室外空間へ排出空気（EA）として排出される。
【００９５】
〈加湿運転〉
加湿運転は、冬季等において室外の温度と湿度とが比較的低い条件下で実行される。この加湿運転では、室外空気（OA）が加湿され、加湿された空気が室内へ供給空気（SA）として供給される。同時に、加湿運転では、室内空気（RA）が排出空気（EA）として室外へ排出される。この加湿運転では、第１動作と第２動作とが所定の間隔置きに交互に実行され、室内が連続的に加湿される。
【００９６】
加湿運転の第１動作において、図１２に示す冷媒回路（30）では、四方切換弁（32）が第２状態に設定され、主膨張弁（37）が閉状態となり、レヒート側膨張弁（38）が所定の開度で開放される。圧縮機（31）が運転されると、圧縮機（31）で圧縮された冷媒が第１吸着熱交換器（33a）で放熱し、ブリッジ回路（36a）を通過して、レヒート回路（36c）を流れる。レヒート回路（36c）では、気液二相状態の高圧冷媒が、レヒート熱交換器（35）を流れ、この冷媒が空気（室外空気（OA））へ放熱する。レヒート熱交換器（35）で放熱した冷媒は、レヒート側膨張弁（38）によって減圧される。レヒート側膨張弁（38）で減圧された冷媒は、ブリッジ回路（36a）を通過し、第２吸着熱交換器（33b）で蒸発し、圧縮機（31）に吸入される。
【００９７】
加湿運転の第２動作において、図１２に示す冷媒回路（30）では、四方切換弁（32）が第１状態に設定され、主膨張弁（37）が閉状態となり、レヒート側膨張弁（38）が所定の開度で開放される。圧縮機（31）が運転されると、圧縮機（31）で圧縮された冷媒が第２吸着熱交換器（33b）で放熱し、ブリッジ回路（36a）を通過して、レヒート回路（36c）を流れる。レヒート回路（36c）では、気液二相状態の高圧冷媒が、レヒート熱交換器（35）を流れ、この冷媒が空気（室外空気（OA））へ放熱する。レヒート熱交換器（35）で放熱した冷媒は、レヒート側膨張弁（38）によって減圧される。レヒート側膨張弁（38）で減圧された冷媒は、ブリッジ回路（36a）を通過し、第１吸着熱交換器（33a）で蒸発し、圧縮機（31）に吸入される。
【００９８】
以上のように、調湿装置（10）の加湿運転では、レヒート回路（36c）に冷媒が供給され、レヒート熱交換器（35）が運転される。このレヒート熱交換器（35）の加熱能力は、レヒート側膨張弁（38）の開度に応じて適宜調節される。また、この加湿運転において、室外空気（OA）の温度が所定温度よりも高くなると、レヒート側膨張弁（38）が全閉に近い状態となり、主膨張弁（37）が所定の開度で開放される。これにより、レヒート熱交換器（35）を停止しつつ、各吸着熱交換器（33a,33b）で空気を加湿できる。
【００９９】
加湿運転の第１動作では、図１３及び図１４に示すように、第１ダンパ（D1）、第４ダンパ（D4）、第６ダンパ（D6）、及び第７ダンパ（D7）が開放状態となり、第２ダンパ（D2）、第３ダンパ（D3）、第５ダンパ（D5）、及び第８ダンパ（D8）が閉鎖状態となり、給気ファン（85）及び排気ファン（88）が運転される。
【０１００】
加湿運転の第１動作において、ダクトを経由して外気吸込室（19c）に取り込まれた室外空気（OA）は、ダクト内流路（71）、外気流入路（61）を順に流れて、下部外気流路（63a）へ流入する。この空気は、虫取りフィルタ（26）及びプリーツフィルタ（27）を順に流れて清浄化された後、レヒート熱交換器（35）を通過する。加湿運転では、このレヒート熱交換器（35）に冷媒が適宜供給され、室外空気（OA）がレヒート熱交換器（35）によって加熱される。
【０１０１】
レヒート熱交換器（35）で加熱された空気は、上部外気流路（63b）、中間外気流路（64）、第１ダンパ（D1）を順に流れ、第１吸着熱交換器（33a）を通過する。放熱器の状態の第１吸着熱交換器（33a）では、吸着剤から空気中へ水蒸気が脱離し、この空気が加湿される。第１吸着熱交換器（33a）で加湿された空気は、第７ダンパ（D7）、上部給気流路（70）、室内給気室（19a）を順に流れ、ダクトを経由して室内空間へ供給空気（SA）として供給される。
【０１０２】
加湿運転の第１動作において、室内側のダクトを経由して内気吸込室（19d）に取り込まれた室内空気（RA）は、上部内気流路（69）、第６ダンパ（D6）を順に流れ、第２吸着熱交換器（33b）を通過する。蒸発器の状態の第２吸着熱交換器（33b）では、空気中の水蒸気が吸着剤に吸着され、この吸着剤に水分が付与される。第２吸着熱交換器（33b）の吸着剤に水分を付与した空気は、第４ダンパ（D4）、中間排気流路（65）、排気連絡流路（68）、室外排気室（19b）を順に流れ、ダクトを経由して室外空間へ排出空気（EA）として排出される。
【０１０３】
加湿運転の第２動作では、図１５及び図１６に示すように、第２ダンパ（D2）、第３ダンパ（D3）、第５ダンパ（D5）、及び第８ダンパ（D8）が開放状態となり、第１ダンパ（D1）、第４ダンパ（D4）、第６ダンパ（D6）、及び第７ダンパ（D7）が閉鎖状態となり、給気ファン（85）及び排気ファン（88）が運転される。
【０１０４】
加湿運転の第２動作において、ダクトを経由して外気吸込室（19c）に取り込まれた室外空気（OA）は、ダクト内流路（71）、外気流入路（61）を順に流れて、下部外気流路（63a）へ流入する。この空気は、虫取りフィルタ（26）及びプリーツフィルタ（27）を順に流れて清浄化された後、レヒート熱交換器（35）を通過する。加湿運転では、このレヒート熱交換器（35）に冷媒が適宜供給され、室外空気（OA）がレヒート熱交換器（35）によって加熱される。
【０１０５】
レヒート熱交換器（35）で加熱された空気は、上部外気流路（63b）、中間外気流路（64）、第２ダンパ（D2）を順に流れ、第２吸着熱交換器（33b）を通過する。放熱器の状態の第２吸着熱交換器（33b）では、吸着剤から空気中へ水蒸気が脱離し、この空気が加湿される。第２吸着熱交換器（33b）で加湿された空気は、第８ダンパ（D8）、上部給気流路（70）、室内給気室（19a）を順に流れ、ダクトを経由して室内空間へ供給空気（SA）として供給される。
【０１０６】
加湿運転の第２動作において、室内側のダクトを経由して内気吸込室（19d）に取り込まれた室内空気（RA）は、上部内気流路（69）、第５ダンパ（D5）を順に流れ、第１吸着熱交換器（33a）を通過する。蒸発器の状態の第１吸着熱交換器（33a）では、空気中の水蒸気が吸着剤に吸着され、この吸着剤に水分が付与される。第１吸着熱交換器（33a）の吸着剤に水分を付与した空気は、第３ダンパ（D3）、中間排気流路（65）、排気連絡流路（68）、室外排気室（19b）を順に流れ、ダクトを経由して室外空間へ排出空気（EA）として排出される。
【０１０７】
〈制御モードの選択〉
本実施形態のコントローラ（100）は、絶対湿度制御モードと相対湿度制御モードとを適宜選択して加湿運転を行う。図１８は、加湿運転における制御モード選択の工程を示す。また、図１９は、本実施形態に係る湿度制御パターンを示す。図１９に示すように、設定が「強」、「標準」、「弱」の何れであるかに応じて、それぞれ、各部屋の湿度が、実線、破線、一点鎖線で示すラインに乗るように制御を行う。なお、図１９において、１００％、７０％等のラベルを付したカーブは、相対湿度を示している。
【０１０８】
まず、コントローラ（100）は、内気湿度センサ（111）の出力と内気温度センサ（116）の出力を読み取る（ステップＳ０１）。また、コントローラ（100）は、内気温度センサ（116）が検出した温度（Tr）における基準相対湿度（Rb）に相当する絶対湿度を算出して、それを絶対湿度閾値（Rs2）とする（ステップＳ０２）。
【０１０９】
つぎにコントローラ（100）は、絶対湿度閾値（Rs2）と、ユーザーがステップＳ００で設定した絶対湿度設定値（Rs1）とを比較する（ステップＳ０３）。
【０１１０】
例えば、ユーザーが「標準」を設定していたとする。また、検出された温度（Tr）は、８℃とする。そうすると、図１９から分かるように、この温度では、相対湿度７０％（基準相対湿度（Rb））に相当する絶対湿度（絶対湿度閾値（Rs2））は、「標準」設定に対応した絶対湿度である絶対湿度設定値（Rs1）よりも小さい。そこで、コントローラ（100）は、相対湿度制御モードを選択する（ステップＳ０５）。この場合の目標の相対湿度は、絶対湿度閾値（Rs2）の算出に用いた基準相対湿度（Rb）である。すなわちこの例では、コントローラ（100）は、相対湿度７０％となるように、吸着熱交換器（33）の能力を制御する。具体的には、コントローラ（100）は、設定を「標準」から「弱」に強制的に切り替えて、所定時間運転を続けて湿度を下げる。
【０１１１】
温度（Tr）が８℃で、「標準」設定のままで運転すると、図１９に示すように、相対湿度が９０％以上になり、窓のガラスなどでは結露が起こりやすい状態になる（図１９のハッチングを付した丸印（上側）のポイント）。しかしながら、本実施形態では、前記のように、相対湿度制御モードが選択され、所定の相対湿度（この例では７０％）に制御される（図１９の黒丸印（下側）のポイント）。したがって、空気調和がされず、他の部屋よりも温度が低い部屋であっても、結露が防止される。
【０１１２】
また、Ｒｓ１≦Ｒｓ２の場合（例えば図１９の例では、「標準」設定で、温度（Tr）が１５℃の場合など）には、コントローラ（100）は、絶対湿度制御モードを選択する。これにより、各部屋において所定の水分量が確保される。また、この場合には、温度（Tr）が比較的高いので、結露の可能性は小さい。
【０１１３】
ところで、前記のように相対湿度制御モードと絶対湿度制御モードと選択を、その時の湿度のみを考慮して行うと、湿度の設定値によっては、水分量が不足する場合も考えられる。そこで、本実施形態では、所定の閾値温度（Tt）以上の温度領域では、絶対湿度制御モードを選択するようにしたのである。これにより、各部屋において、必要な水分量を確保することが可能になる。
【０１１４】
〈本実施形態の効果〉
以上のように、本実施形態によれば、複数の部屋を調湿する調湿装置において、過乾燥を防止しつつ、結露の防止を図ることが可能になる。
【０１１５】
《発明の実施形態２》
前記の例では、基準相対湿度（Rb）は、１種類の値（前記の例では相対湿度７０％）のみを用いていた。しかしながら、この値は、温度（Tr）に応じて可変するのが好ましい。これは、温度（Tr）が、より低くなると結露の可能性が高まるからである。
【０１１６】
結露の可能性をより小さくするには、絶対湿度閾値（Rs2）の算出の基準に用いる基準相対湿度（Rb）の値を、温度（Tr）が低いほど小さくすることが考えられる。基準相対湿度（Rb）を可変する一例として、温度（Tr）が１０℃〜１５℃では、相対湿度７０％を基準相対湿度（Rb）とし、温度（Tr）が１０℃以下では、相対湿度６５％を基準相対湿度（Rb）として、それに相当する絶対湿度閾値（Rs2）を算出するようにすることが考えられる。つまり、この例では、相対湿度制御モードを行う際に、温度（Tr）が１０℃〜１５℃の場合は、各部屋の相対湿度が７０％となるように制御し、温度（Tr）が１０℃以下では、相対湿度が６５％となるように制御する。なお、１５℃以上では、既述の通り、絶対湿度制御モードを選択する。図２０は、実施形態２に係る湿度制御パターンを示す。本実施形態では、基準相対湿度（Rb）を可変としたことで、結露に対するマージンが確保され、より確実に結露を防止することが可能になる。
【０１１７】
《その他の実施形態》
なお、前記実施形態で説明した各種設定値（基準相対湿度（Rb）など）は例示である。
【０１１８】
また、調湿装置（10）は、加湿専用の装置（加湿装置）として構成してもよい。
【０１１９】
また、調湿装置（10）の本体部分（主にコントローラ（100）以外の部分）の構成は例示であり、空気の加湿が可能な構造であればよい。
【産業上の利用可能性】
【０１２０】
本発明は、空気を調湿する調湿装置として有用である。
【符号の説明】
【０１２１】
１０      調湿装置
３０      冷媒回路（調湿部）
１００    コントローラ（制御部）
【図１】
2014196879.tif 000003
【図２】
2014196879.tif 000004
【図３】
2014196879.tif 000005
【図４】
2014196879.tif 000006
【図５】
2014196879.tif 000007
【図６】
2014196879.tif 000008
【図７】
2014196879.tif 000009
【図８】
2014196879.tif 000010
【図９】
2014196879.tif 000011
【図１０】
2014196879.tif 000012
【図１１】
2014196879.tif 000013
【図１２】
2014196879.tif 000014
【図１３】
2014196879.tif 000015
【図１４】
2014196879.tif 000016
【図１５】
2014196879.tif 000017
【図１６】
2014196879.tif 000018
【図１７】
2014196879.tif 000019
【図１８】
2014196879.tif 000020
【図１９】
2014196879.tif 000021
【図２０】
2014196879.tif 000022